(57)【特許請求の範囲】
【請求項１】
通気式屋根棟用のせん断タイシステムであって、
棟木であって、長手方向を有し、垂木によって支持される、棟木と、
野地板であって、垂木上に位置し、間隙またはスロットが、野地板の上端部と棟木との間に設けられ、前記間隙またはスロットは、建物の通気用の空気流路を提供するために、棟木の大部分に沿って広がる、野地板と、
せん断タイストラップであって、棟木に、棟木の少なくともいずれか一方の側で野地板および垂木に、連結され、前記せん断タイストラップは、棟木への取り付けのための中央留め具ストリップと、２つの交差ストラップと、を含み、前記２つの交差ストラップは、第１交差ストラップおよび第２交差ストラップと個々に表され、鋭角で棟木に広がり、その下りスロープ端で留め具ストリップを含む、せん断タイストラップと、
を備え、
前記せん断タイストラップは、前記２つの交差ストラップが交差または横断する中央を備え、第１長手方向端部は、棟木の第１長手方向端部に向かう第１方向に前記せん断タイストラップの中央から変位するそれぞれの留め具ストリップを含み、第２長手方向端部は、棟木の第２端部に向かい、第１方向とは反対の第２方向に、前記せん断タイストラップの中央から変位する、それぞれの留め具ストリップを含む、せん断タイシステム。
【請求項２】
請求項１のせん断タイシステムであって、前記せん断タイストラップは、屋根で棟木の長手方向に隣り合う垂木間の間隔に適合する幅を有する、せん断タイシステム。
【請求項３】
請求項１のせん断タイシステムであって、前記せん断タイストラップは、第１シートメタル体と第２シートメタル体とを備え、それぞれ、前記２つの交差ストラップの１つを備え、前記２つの交差ストラップは、中間領域で重なり、重なる中間領域が中央留め具ストリップの少なくとも一部を形成するようになっている、せん断タイシステム。
【請求項４】
請求項１のせん断タイシステムであって、前記せん断タイストラップは、第１連結ストラップをさらに備え、第１連結ストラップは、棟木に広がって棟木にまたがり、前記せん断タイストラップの第１長手方向端部にある第１交差ストラップと第２交差ストラップとを連結する、せん断タイシステム。
【請求項５】
請求項４のせん断タイシステムであって、前記せん断タイストラップは、第２連結ストラップをさらに備え、第２連結ストラップは、棟木に広がって棟木にまたがり、前記せん断タイストラップの第２長手方向端部にある第１交差ストラップと第２交差ストラップとを連結する、せん断タイシステム。
【請求項６】
請求項５のせん断タイシステムであって、第１連結ストラップは、第１長手方向端部で前記交差ストラップのそれぞれにあるそれぞれの留め具ストリップと関連し、第２連結ストラップは、第２長手方向端部で前記交差ストラップのそれぞれにあるそれぞれの留め具ストリップと関連する、せん断タイシステム。
【請求項７】
請求項６のせん断タイシステムであって、第１連結ストラップは、留め具ストリップを、第１長手方向端部にある第１交差ストラップおよび第２交差ストラップにあるそれぞれの留め具ストリップと関連する領域に含み、第２連結ストラップは、留め具ストリップを、第２長手方向端部にある第１交差ストラップおよび第２交差ストラップにあるそれぞれの留め具ストリップと関連する領域に含む、せん断タイシステム。
【請求項８】
請求項１のせん断タイシステムであって、前記２つの交差ストラップの下りスロープ端での留め具ストリップは、前記２つの交差ストラップと一体である、せん断タイシステム。
【発明の詳細な説明】
【技術分野】
【０００１】
本出願は、２０１４年３月１９日に出願された米国仮特許出願第６１／９５５，２７５号の利点を請求し、それは、完全に記載されたかのように参照により本明細書に援用される。
【０００２】
本発明は、屋根構造システムの一般的分野に関する。特に、本発明は、ハリケーン耐性および耐震建造物に関する。
【背景技術】
【０００３】
建築構造の分野では、ハリケーンおよび／または地震の際に建造物を安定に保つために、壁および床を建築基礎に取り付けるのに金属タイを使用することが、知られている。そのような補強材は、金属ストラップ材料から形成され、それは、ストラップを基礎および上方に位置する構造に固定するのに使用されるプリパンチ穴を含む。ハリケーンがよく来るまたは地震地帯用の建築システムは、基礎にフレーム構成部材の全てを連結するためにこれらの金属タイが使用されることを、典型的に必要とする。そのような金属ストラップ補強材を、屋根垂木の下部を壁の上部につなぐように使用することも、知られている。しかしながら、屋根棟での結束を含むシステムは現在なく、特に、棟通気口が屋根棟に沿って位置し、垂木上に位置する合板野地板と棟木との間に空間または間隙ができている適用でそうである。
【発明の概要】
【課題を解決するための手段】
【０００４】
本発明は、棟木用のせん断タイを含む屋根システムを提供する。このシステムは、換気用棟通気口も提供される瓦葺屋根に関連した使用に特に好まれるが、他の屋根システムで使用することもできる。屋根棟通気口は、例えば、本出願と同じ発明者によって発明された米国特許出願第２００８‐０３１８５１６号に、開示され得る。屋根システムは、垂木によって支持される棟木を含む。野地板は垂木上に位置し、間隙またはスロットが、野地板の上端部と棟木との間に設けられ、間隙またはスロットは、建物の通気用の空気流路を提供するために、棟木の大部分に沿って広がる。せん断タイストラップは、棟木に、および棟木の少なくともいずれか一方の側で野地板に、連結される。せん断タイストラップは、２つの交差ストラップを含み、２つの交差ストラップは、鋭角で棟木に広がり、その下りスロープ端でくぎ打ちストリップに連結される。中央くぎ打ちストリップも、棟木への取り付けのために設けられている。せん断タイストラップは、好ましくは、屋根で隣り合う垂木間の間隔に適合する幅を有する。好ましい幅は、心々で１６インチまたは２４インチの垂木と共に使用するために１７．５インチまたは２５．５インチである。しかしながら、他の幅も用いられ得る。必要であれば、ブロッキングを、くぎ打ちストリップの取り付けのために、隣り合う垂木間に加えることができ、十分なせん断力伝達領域を屋根構造に提供する。また、開口は、棟木の少なくともいずれか一方の側に位置する間隙またはスロットによって提供される通気面積が、できる限り開いたままであることができるように、中央くぎ打ちストリップのそれぞれの側でせん断タイストラップを通って位置する。
【０００５】
１つの好ましい応用では、棟木延長部は、蓋瓦を支持するために、せん断タイストラップの上で棟木に取り付けられる。
【０００６】
本発明の別の態様では、屋根瓦の上方列を屋根面に固定するために、母屋桁が、せん断タイストラップの上で野地板の上端部に沿って取り付けられる。
【０００７】
せん断タイストラップは、屋根システムの特定の荷重要件に応じて、垂木のそれぞれの隣り合う対に位置することができる、または、間隔を置くことができる。
【０００８】
別の態様では、せん断タイストラップは、棟木への蓋瓦の直接固定を提供するために、垂木の上に延びる棟木にわたって延びることができる。
【０００９】
別の態様では、せん断タイストラップは、２つのシートメタル体を備え、それらは、中間領域で交差し、一方が他方に重なり、中間領域は、棟木へのくぎ打ちストリップの少なくとも一部を形成する。
【００１０】
好ましい実施形態では、穴は、せん断タイストラップを垂木および／または棟木に固定するくぎまたは他の留め具の取り付けのための様々な位置で、せん断タイストラップを通じて開けられる。
【００１１】
好ましい実施形態では、せん断タイストラップは、２０ゲージシートメタルから作られたパンチシートメタル部分である。
【００１２】
ある態様では、本発明は、通気式屋根棟用のせん断タイシステムに関する。せん断タイシステムは、垂木によって支持される棟木と、垂木上に位置する野地板と、を備え、間隙またはスロットが、野地板の上端部と棟木との間に設けられ、間隙またはスロットは、建物の通気用の空気流路を提供するために、棟木の大部分に沿って広がる。せん断タイストラップは、棟木、棟木の少なくともいずれか一方の側で野地板および垂木に、連結される。せん断タイストラップは、棟木への取り付けのための中央くぎ打ちストリップと、２つの交差ストラップと、を含み、２つの交差ストラップは、鋭角で棟木に広がり、その下りスロープ端でくぎ打ちストリップを含む。せん断タイストラップは、２つの交差ストラップが横断または交差する中央を有し、第１長手方向端部は、棟木の第１長手方向端部に向かう第１方向にせん断タイストラップの中央から変位するそれぞれのくぎ打ちストリップを含み、第２長手方向端部は、棟木の第２端部に向かい、第１方向とは反対の第２方向に、せん断タイストラップの中央から変位する、それぞれのくぎ打ちストリップを含む。
【００１３】
この態様では、好ましいが非限定的である実施形態は、以下を含むことができる。せん断タイストラップは、屋根で隣り合う垂木間の間隔に適合する幅を有してよい。せん断タイストラップは、第１シートメタル体と第２シートメタル体とを備えてよく、それぞれ、２つの交差ストラップの１つを備え、２つの交差ストラップは、中間領域で重なり、重なる中間領域が中央くぎ打ちストリップの少なくとも一部を形成するようになっている。せん断タイストラップは、第１連結ストラップをさらに備えてよく、第１連結ストラップは、棟木にわたって延び、せん断タイストラップの第１長手方向端部に向かって延びる交差ストラップを連結する。せん断タイストラップは、第２連結ストラップをさらに備えてよく、第２連結ストラップは、棟木にわたって延び、せん断タイストラップの第２長手方向端部に向かって延びる交差ストラップを連結する。第１連結ストラップは、第１長手方向端部で各交差ストラップにあるそれぞれのくぎ打ちストリップと関連してよく、第２連結ストラップは、第２長手方向端部で各交差ストラップにあるそれぞれのくぎ打ちストリップと関連してよい。第１連結ストラップは、くぎ打ちストリップを含んでよく、第２連結ストラップは、くぎ打ちストリップを含んでよい。２つの交差ストラップの下りスロープ端でのくぎ打ちストリップは、２つの交差ストラップと一体であってよい。
【００１４】
ある態様では、本発明は、せん断タイストラップに関する。せん断タイストラップは、第１シートメタル体と第２シートメタル体とを備え、第１シートメタル体は第１中間領域を有し、第２シートメタル体は第２中間領域を有する。第１中間領域と第２中間領域とは、交差して中央くぎ打ちストリップの少なくとも一部を形成する。
【００１５】
この態様では、好ましいが非限定的である実施形態は、以下を含むことができる。第１シートメタル体と第２シートメタル体とは、互いに一体であってよい。第１シートメタル体と第２シートメタル体とは、別々であってよく、第１中間領域と第２中間領域とは重なることができ、中央くぎ打ちストリップの少なくとも一部を形成する。せん断タイストラップは、屋根で隣り合う垂木間の間隔に適合する幅を有してよい。間隔は、心々で１６インチであってよい。間隔は、心々で２４インチであってよい。第１シートメタル体は、第１長手方向端部と第２長手方向端部とを有してよく、第１長手方向端部のくぎ打ちストリップと、第２長手方向端部のくぎ打ちストリップと、をさらに含んでよい。第２シートメタル体は、第１長手方向端部と第２長手方向端部とを有してよく、第１長手方向端部のくぎ打ちストリップと、第２長手方向端部のくぎ打ちストリップと、をさらに含んでよい。第１シートメタル体の第１長手方向端部と、第２シートメタル体の第１長手方向端部と、は、第１方向に中央くぎ打ちストリップから変位するせん断タイストラップの第１長手方向端部定めてよく、第１シートメタル体の第２長手方向端部と、第２シートメタル体の第２長手方向端部と、は、第１方向とは反対の第２方向に中央くぎ打ちストリップから変位するせん断タイストラップの第２長手方向端部定めてよい。せん断タイストラップは、第１連結ストラップをさらに備えてよく、第１連結ストラップは、棟木にわたって延び、せん断タイストラップの第１長手方向端部についてまたはせん断タイストラップの第１長手方向端部で、第１シートメタル体と第２シートメタル体とを連結するように、適合される。せん断タイストラップは、第２連結ストラップをさらに備えてよく、第２連結ストラップは、棟木にわたって延び、せん断タイストラップの第２長手方向端部についてまたはせん断タイストラップの第２長手方向端部で、第１シートメタル体と第２シートメタル体とを連結するように、適合される。第１連結ストラップは、第１シートメタル体および第２シートメタル体のそれぞれの第１長手方向端部にあるそれぞれのくぎ打ちストリップと関連してよい。第２連結ストラップは、第１シートメタル体および第２シートメタル体のそれぞれの第２長手方向端部にあるそれぞれのくぎ打ちストリップと関連してよい。第１連結ストラップは、くぎ打ちストリップを含んでよく、第２連結ストラップは、くぎ打ちストリップを含んでよい。第１シートメタル体の第１長手方向端部のくぎ打ちストリップ、第１シートメタル体の第２長手方向端部のくぎ打ちストリップ、第２シートメタル体の第１長手方向端部のくぎ打ちストリップ、または第２シートメタル体の第２長手方向端部のくぎ打ちストリップ、の少なくとも１つは、それぞれのシートメタル体と一体であってよい。
【００１６】
本発明を、本発明の現在好ましい実施形態が示されている図面と関連して、より詳しく説明する。
【図面の簡単な説明】
【００１７】
【図１】本発明によるせん断タイストラップを含む通気式屋根棟用のせん断タイシステムの第１実施形態の断面図である。
【図２】屋根に瓦を取り付ける前の状況でのせん断タイストラップを示す図１の線２−２に概ね沿った上面図である。
【図３】本発明に従ったせん断タイストラップを含む通気式屋根棟用のせん断タイシステムの第２実施形態の断面図である。
【図４】せん断タイストラップの代替実施形態の平面図である。
【図５】瓦屋根用の好ましい屋根棟通気口と共に示されているせん断タイシステムの第３実施形態の図１と類似する断面図である。
【図６】非通気屋根用途向けのせん断タイストラップの上面図である。
【図７】本発明の別の実施形態によるせん断タイストラップの上面図である。
【図８Ａ】本発明の別の実施形態によるせん断タイストラップの上面図である。
【図８Ｂ】本発明の別の実施形態によるせん断タイストラップの上面図である。
【図９Ａ】本発明の別の実施形態によるせん断タイストラップの上面図である。
【図９Ｂ】本発明の別の実施形態によるせん断タイストラップの上面図である。
【図１０】せん断タイストラップを含む屋根の上面図である。
【発明を実施するための形態】
【００１８】
特定の用語が、便宜のためだけに以下の説明で使用され、限定的であると見なされない。「前」、「後」、「上」および「下」のような単語は、参照される図面での方向を指定する。この用語は、上記で特に言及された単語、その派生語、および同様の意味の単語、を含む。また、用語「ある（ａ）」および「１つの（ｏｎｅ）」は、特に言及されていなければ、１つ以上の参照された品目を含むと定義される。
【００１９】
本発明の好ましい実施形態は、図面に関して説明され、図面では、全体にわたって、同様の符号は同様の要素を表す。
【００２０】
図１および２に関し、垂木を屋根棟木に連結するせん断タイシステム（全体でシステム１０と表す）を有する瓦屋根が、示されている。ここで、システム１０は、垂木１４を有する屋根１２を含み、垂木１４は棟木１６を支持し、棟木１６は屋根の頂部に沿って延びる。野地板１８は、垂木１４に適用され、間隙またはスロット２０が、棟木１６と野地板１８の上りスロープ端との間に設けられている。この間隙またはスロット２０は、屋根の下側を換気するために、屋根構造の内部からの空気流を提供する。これは、例えば、完全に記載されたかのように参照により本明細書に援用される米国特許出願第２００８‐０３１８５１６号によって提供されるような、屋根棟通気口に関連して使用することができる。
【００２１】
なお図１に関し、好ましくは、屋根用フェルト２２が、野地板１８に適用される。本発明に従ったせん断タイストラップ３０は、それから屋根の頂部にわたって取り付けられ、棟木１６にも野地板１８にもおよび棟木１６の少なくともいずれか一方の側の垂木１４に連結される。せん断タイストラップ３０は、好ましくは、型打ちシートメタル体４０から形成され、せん断力を棟木１６を横断して反対側で垂木１４に移動するために、交差ストラップ４２を含む。くぎ打ちストリップ４４は、これらの交差ストラップ４２の両方の下りスロープ端に設けられ、中央くぎ打ちストリップ４６には、棟木１６に連結するための拡大領域が備わっている。好ましくは、穴４８が、せん断タイストラップ３０用の型打ちシートメタル体４０に予め形成されている。これらは、シートメタル体４０が打ち抜かれるのと同時に穴を開けられることができる、または、別のステップで後にドリルで穴を開けられるまたは穴を開けられることができる。これらの予め形成された穴４８の代表的パターンが示されているが、当業者は、他のパターンを使用できることに気付く。
【００２２】
図２に示されているように、好ましくは、せん断タイストラップ３０は幅ｘを有し、幅ｘは、隣り合う垂木間に及ぶように設計される。好ましい実施形態では、この寸法は、好ましくは、せん断タイストラップ３０が、心々で１６インチまたは心々で２４インチで典型的に位置する隣り合う垂木１４に架かることができるように、１７．５インチまたは２５．５インチである。しかしながら、当業者は、垂木１４間の間隔に対応するために、地域の建築構造法に応じて他の幅を設けることができることに気付く。
【００２３】
せん断タイストラップ３０は、隣り合う垂木１４間にくぎまたはねじを使用して取り付けられ、さらに棟木１６に連結される。地震またはハリケーン状況により見込まれるせん断荷重に応じて、せん断タイストラップ３０は、隣り合う垂木１４のそれぞれの対の間に位置することができる、または、必要に応じてさらに間隔を置くことができる。
【００２４】
好ましい実施形態では、せん断タイストラップ３０は、２０ゲージシートメタルから打ち抜かれる。しかしながら、シートメタルの他の厚さを、特定の用途に必要である荷重に応じて、利用できる。
【００２５】
図１および２に示されているように、ブロッキング５０を、せん断タイストラップ３０のストリップ端部４４とそろう位置で、隣り合う垂木１４間に取り付けることができる。好ましくは、これらは、棟木１６から約７‐１０インチ下りスロープで位置する。しかしながら、特定の用途に応じて、これらは、省略できるまたは異なる間隔で設けてよい。
【００２６】
せん断タイストラップ３０は、通気屋根棟に関する使用向けに設計され、従って、せん断タイストラップ３０によって引き起こされる間隙またはスロット２０を通る塞がれる空気流領域を減少させるために、開口５２が設けられている。
【００２７】
せん断タイストラップ３０の取り付けの後に屋根の建設を完成させるために、図１に示されているように、屋根瓦３４の上端部を支持するために、母屋桁３２を取り付けることができる。それから棟木延長部３６を棟木１６の上に、せん断タイストラップ３０の上に、取り付けることができ、棟木延長部３６に、屋根頂部に沿って蓋瓦３８を固定することを可能にする。
【００２８】
これから図３に関し、通気屋根棟１１０用のせん断タイシステムの別の実施形態が、示されている。ここで、屋根１１２は、同様に瓦屋根であり、本発明の第１実施形態と関連して記載された屋根１２と類似している。従って、同じ要素番号が、同じ部品に使用されている。この場合、棟木延長部３６を必要とした棟木１６の代わりに、ワンピース棟木１１６が用いられ、それは、棟木１１６に蓋瓦３８を直接取り付けることができるように設計されている。これに対応するために、せん断タイストラップ１３０は、１４２で示されている延長交差ストラップを有し、それは、棟木１１６の周りにおよび上に形成されることができる。これらは、示されているようにくぎまたはねじで適当な位置に保持されることができる。せん断タイシステム１１０の残りの部分は、せん断タイシステム１０と同様である。
【００２９】
図４に関し、せん断タイストラップ１３０の代替実施形態が、示されている。この場合、交差ストラップ１４２は、図３に示されている屋根システム１１０に関連して使用されるために、延長長さを有することができる。くぎ打ちストリップ端部１４４が、ストラップ１４２の端部に設けられている。また、中央くぎ打ちストリップ１４６が、屋根棟木への連結のために設けられている。予め形成された穴１４８も、せん断タイストラップを適当な位置に保持するために、くぎまたはねじの容易な取り付けを可能にするために、設けられている。開口１５２も、屋根棟の換気用に棟木に隣り合う野地板１８に設けられている間隙またはスロット２０の閉塞を最小限にするために、設けられている。
【００３０】
これから図５に関し、せん断タイシステム２１０のさらなる実施形態が示され、それは、上記の実施形態１０と類似する。この場合、屋根構造は同じであり、せん断タイストラップ３０は、示されているように、野地板１８の上に取り付けられ、棟木１６にもブロッキング５０にもくぎで留められる。それから、米国特許出願第２００８／０３１８５１６号に従った屋根棟通気口２４０が、屋根の棟領域に沿ってせん断タイストラップ３０の上に取り付けられる。この屋根棟通気口アセンブリ２４０は、シートメタルブラケット２４３によって支持される通気性ストリップ２４２を含み、シートメタルブラケット２４３は、野地板１８と棟木１６との間の間隙またはスロット２０の上に取り付けられるシートメタルブラケット２４３も、棟木延長部２３６を支持し、棟木延長部２３６は、蓋瓦２３８を適当な位置に保持するためのくぎ打ち用ストリップを提供する。追加の通気材２４４も、蓋瓦２３８と領域瓦２３４との間に位置し、領域瓦２３４は、母屋桁３３によって支持され、母屋桁３３は、せん断タイストラップ３０の上に取り付けられる。空気の流れは、矢印２４６で示されている。この配置は、好ましい屋根棟通気口２４０に関するせん断タイストラップ３０の取り付けを示す。
【００３１】
図６に関し、非通気屋根棟に関連した使用向けの、または、せん断タイストラップ３３０が垂木の限られた数の隣り合う対にのみ取り付けられる屋根棟通気口に関連した使用向けの、せん断タイストラップ３３０が示されている。この場合、せん断タイストラップ３３０は、予め形成された穴３４８を含み、予め形成された穴３４８は、せん断タイストラップ３３０を棟木にも垂木にも連結するためのものである。幅ｘは、せん断タイストラップ３３０が、典型的に心々で１６または２４インチである隣り合う垂木に架かることができるような、十分な寸法を表し、結果的に幅寸法ｘが典型的に１７．５インチまたは２５．５インチになる。しかしながら、特定の屋根構造および関連する規格に応じて、他の寸法を使用できる。
【００３２】
図７に関し、本発明の別の実施形態によるせん断タイストラップ４３０の実施形態が、描かれている。せん断タイストラップ４３０は、２つのシートメタル体４４０を備え、それぞれ、交差ストラップ４４２を備え、くぎ打ちストリップ４４４がそれぞれの交差ストラップ４４２の対向端部に設けられている。シートメタル体４４０は、描かれているように互いの鏡像であってよいが、他の構造が使用されてよい。シートメタル体４４０は、対で使用され、一方の交差ストラップ４４２が他方の交差ストラップ４４２上で中間領域４５４で重なり、重なった中間領域４５４は、中央くぎ打ちストリップ４４６の少なくとも一部を形成する。いくつかの実施形態では、１つ以上の予め形成された穴４４８は、交差ストラップ４４２が所定の配向で重なるときに穴が一列に整列するように、中間領域４５４に形成される。
【００３３】
交差ストラップ４４２が所定の配向で重なるときに、せん断タイストラップ４３０は、垂木にせん断タイストラップ４３０を固定するのにくぎまたはねじを使用できるように、少なくともいくつかの予め形成された穴４４８が、隣り合う垂木と整列するように、十分な寸法の幅ｘを有する。幅ｘは、心々で１６インチまたは２４インチで配置される垂木用に、それぞれ、１６インチまたは１４インチであってよい。しかしながら、特定の屋根構造および関連する規格に応じて、他の寸法を使用できる。好ましくは、シートメタル体４４０は、３３ｋｓｉの降伏応力を有する１６ゲージ〜２０ゲージシートメタルで作られる。１つの好ましい配置では、これらは、１０ｄ並くぎで取り付けられ、少なくとも８くぎが、くぎ打ちストリップ４４４のそれぞれでそれぞれの端部で垂木に入る。せん断タイストラップ４３０の実施形態では、幅は１６インチであり、せん断タイストラップ４３０の長さは３０．５インチであり、その幅（ｗ）は２２インチであり、交差ストラップ４４２の幅は、中間領域４５４で３．２５インチであり、一方くぎ打ちストリップ４４４の幅（ｙ）は、５．２５インチである。せん断タイストラップ４３０の実施形態では、ｘは２４インチであり、せん断タイストラップ４３０の長さは３８．５インチであり、その幅（ｗ）は２２インチであり、交差ストラップ４４２の幅は、中間領域４５４で５．２５インチであり、一方くぎ打ちストリップ４４４の幅（ｙ）は、５．２５インチである。これらの寸法は、しかしながら、例示である。当業者は、せん断タイストラップの寸法が、対象とする棟および屋根設計に基づいて変化してよいことを、理解するであろう。
【００３４】
図８Ａおよび８Ｂに関し、本発明によるせん断タイストラップ５３０の別の実施形態が、描かれている。せん断タイストラップ５３０は、単一の一体型ユニットであってよく、好ましくはシートメタルで作られる。代替的に、せん断タイストラップ５３０は、複数の、組立部品であってよい。組立部品は、あらゆる適切な構造によって互いに固定されてよい。例えば、別の要素の予め穿孔された穴が、整列することができ、要素は、くぎ、ねじ、またはあらゆる他の適切な留め具を挿入することによって固定される。せん断タイストラップ５３０は、シートメタル体５４０を備え、それぞれ、交差ストラップ５４２を備え、くぎ打ちストリップ５４４がそれぞれの交差ストラップ５４２の対向端部に設けられている（上記の４４０と類似し、中央領域の重なりが図８Ａおよび８Ｂには示されていない）。シートメタル体５４０は、描かれているように長手方向軸５３３について互いの鏡像であってよいが、他の構造が使用されてよい。シートメタル体５４０は、対で使用されてよく、一方の交差ストラップ５４２が他方の交差ストラップ５４２上で中間領域５５４で重なり、重なった中間領域５５４は、中央くぎ打ちストリップ５４６の少なくとも一部を形成する（図７と類似している）。せん断タイストラップ５３０が、図８Ａおよび８Ｂに示されているような単一の一体型ユニットであるとき、シートメタル体５４０と交差ストラップ５４２とは、単一構造である。そのような一体型実施形態では、交差ストラップは、中間領域で交差すると記載されてよい。
【００３５】
せん断タイストラップ５３０は、棟木に、棟木の少なくともいずれか一方の側で野地板におよび垂木に、連結されてよい。２つの交差ストラップ５４２は、鋭角で棟木に広がってよく、その下りスロープ端でくぎ打ちストリップ５４４に連結されてよいまたはくぎ打ちストリップ５４４を含んでよい。中央くぎ打ちストリップ５４６は、棟木への取り付けのために実施されてよい。図８Ａおよび８Ｂの長手方向軸５３３は、せん断タイストラップ５３０が取り付けられるときの棟木の位置を表す。せん断タイストラップは、第１長手方向端部５９２および第２長手方向端部５９４を有する。第１長手方向端部５９２では、くぎ打ちストリップ５４４を含む交差ストラップ５４２の端部が、中央５３５から長手方向軸５３３に沿って、第１長手方向に変位する。第２長手方向端部５９４では、くぎ打ちストリップ５４４を含む交差ストラップ５４２の端部が、中央５３５から長手方向軸５３３に沿って、第２長手方向に変位する。取り付けられるときに、第１長手方向端部５９２は、交差ストラップ５４２に、棟木の第１長手方向端部に向かう第１方向に中央５３５から変位する、くぎ打ちストリップ５４４を含む。そして第２長手方向端部５９４は、交差ストラップ５４２に、棟木の第２長手方向端部に向かい、第１方向とは反対の、第２方向に、中央５３５から変位する、くぎ打ちストリップ５４４を含む。
【００３６】
図８Ａに示されているのも、連結ストラップ５６０である。せん断タイストラップ５３０の第１長手方向端部５９２に交差ストラップ５４２の端部で連結する連結ストラップ５６０が、あってよい。図８Ａは、交差ストラップ５４２の端部でくぎ打ちストリップ５４４と関連する連結ストラップ５６０を示す。しかし連結ストラップは、示されているように第１長手方向端部５９２で、または、交差ストラップ５４２の端部と中央５３５との間の中間位置で、交差ストラップ５４２を連結してよい。図８Ａに示されているように、連結ストラップは、せん断タイストラップの一方の端部から他方に架かってよい。連結ストラップは、図８Ａまたは８Ｂにも示されているように、予め穿孔された穴を含むくぎ打ちストリップを有してよい。
【００３７】
図８Ｂに示されているように、せん断タイストラップ５３０の第２長手方向端部５９４に交差ストラップ５４２の端部で連結する第２連結ストラップ５６０があってよい。第１連結ストラップ５６０と同様に、第２連結ストラップ５９２は、くぎ打ちストリップ５４４と関連してよい、または、交差ストラップ５４２の端部と中央５３５との間の中間位置で関連してよい。
【００３８】
連結ストラップ５４２は、連結される各交差ストラップ５４２の少なくとも１つと、またはその上のくぎ打ちストリップ５４４と、一体であってよい。代替的に、連結ストラップ５４２は、追加の要素として提供されてよく、せん断タイストラップ５３０の各端部５９２，５９４に固定されてよい。
【００３９】
交差ストラップ５４２と連結ストラップ５６０とは、共通の参照符号で言及および説明され、実施形態は、交差ストラップと、連結ストラップと、同様のまたは同一の寸法を有する他の共通の要素と、を含む。当業者は、しかしながら、１つの交差ストラップ、連結ストラップ、または他の要素の変形がなされてよいことに気付く。
【００４０】
いくつかの実施形態では、１つ以上の予め形成された穴５４８が、中間領域５５４に形成されている。別のシートメタル体を有する実施形態では、穴は、交差ストラップ５４２が所定の配向で重なるときに、一列に整列してよい。
【００４１】
交差ストラップ５４２が所定の配向で重なるときに、または一体型ユニットとして形成されるときに、せん断タイストラップ５３０は、垂木にせん断タイストラップ５３０を固定するのにくぎまたはねじを使用できるように、少なくともいくつかの予め形成された穴５４８が、隣り合う垂木と整列するように、十分な寸法の幅ｘを有する。幅ｘは、１６インチであってよいが、屋根垂木の心々間隔を表す任意の他の寸法であってもよい。しかしながら、特定の屋根構造および関連する規格に応じて、他の寸法を使用できる。好ましくは、シートメタル体５４０は、３３ｋｓｉの降伏応力を有する１６ゲージ〜２０ゲージシートメタルで作られる。１つの好ましい配置では、これらは、１０ｄ並くぎで取り付けられてよく、少なくとも８くぎが、くぎ打ちストリップ５４４のそれぞれでそれぞれの端部で垂木に入る。図８Ａの連結ストラップ５６０は、幅が１．５インチであってよい。図８Ｂの連結ストラップ５６０の１つまたは両方は、幅が１．５インチであってよい。
【００４２】
図９Ａおよび９Ｂに関し、本発明の別の実施形態によるせん断タイストラップ６３０の実施形態が、描かれている。せん断タイストラップ６３０は、単一の一体型ユニットであってよく、好ましくはシートメタルで作られる。代替的に、せん断タイストラップ６３０は、複数の、組立部品であってよい。組立部品は、あらゆる適切な構造によって互いに固定されてよい。例えば、別の要素の予め穿孔された穴が、整列することができ、要素は、くぎ、ねじ、またはあらゆる他の適切な留め具を挿入することによって固定される。せん断タイストラップ６３０は、シートメタル体６４０を備え、それぞれ、交差ストラップ６４２を備え、くぎ打ちストリップ６４４がそれぞれの交差ストラップ６４２の対向端部に設けられている（上記の４４０と類似し、中央領域の重なりが図９Ａおよび９Ｂには示されていない）。シートメタル体６４０は、描かれているように互いの鏡像であってよいが、他の構造が使用されてよい。シートメタル体６４０は、対で使用されてよく、一方の交差ストラップ６４２が他方の交差ストラップ６４２上で中間領域６５４で重なり、重なった中間領域６５４は、中央くぎ打ちストリップ６４６の少なくとも一部を形成する。せん断タイストラップ６３０が、図９Ａおよび９Ｂに示されているような単一の一体型ユニットであるとき、シートメタル体６４０と交差ストラップ６４２とは、単一構造である。そのような一体型実施形態では、交差ストラップは、中間領域で交差すると記載されてよい。
【００４３】
せん断タイストラップ６３０は、棟木に、棟木の少なくともいずれか一方の側で野地板におよび垂木に、連結されてよい。２つの交差ストラップ６４２は、鋭角で棟木に広がってよく、その下りスロープ端でくぎ打ちストリップ６４４に連結されてよいまたはくぎ打ちストリップ６４４を含んでよい。中央くぎ打ちストリップ６４６は、棟木への取り付けのために実施されてよい。図９Ａおよび９Ｂの長手方向軸６３３は、せん断タイストラップ６３０が取り付けられるときの棟木の位置を表す。せん断タイストラップは、第１長手方向端部６９２および第２長手方向端部６９４を有する。第１長手方向端部６９２では、くぎ打ちストリップ６４４を含む交差ストラップ６４２の端部が、中央６３５から長手方向軸６３３に沿って、第１長手方向に変位する。第２長手方向端部６９４では、くぎ打ちストリップ６４４を含む交差ストラップ６４２の端部が、中央６３５から長手方向軸６３３に沿って、第２長手方向に変位する。取り付けられるときに、第１長手方向端部６９２は、交差ストラップ６４２に、棟木の第１長手方向端部に向かう第１方向に中央６３５から変位する、くぎ打ちストリップ６４４を含む。そして第２長手方向端部６９４は、交差ストラップ６４２に、棟木の第２長手方向端部に向かい、第１方向とは反対の、第２方向に、中央６３５から変位する、くぎ打ちストリップ６４４を含む。
【００４４】
図９Ａに示されているのも、連結ストラップ６６０である。せん断タイストラップ６３０の第１長手方向端部６９２に交差ストラップ６４２の端部で連結する連結ストラップ６６０が、あってよい。図９Ａは、交差ストラップ６４２の端部でくぎ打ちストリップ６４４と関連する連結ストラップ９６０を示す。しかし連結ストラップは、示されているように第１長手方向端部６９２で、または、交差ストラップ６４２の端部と中央６３５との間の中間位置で、交差ストラップ６４２を連結してよい。図９Ａに示されているように、連結ストラップは、せん断タイストラップの一方の端部から他方に架かってよい。連結ストラップは、図９Ａまたは９Ｂにも示されているように、予め穿孔された穴を含むくぎ打ちストリップを有してよい。
【００４５】
図９Ｂに示されているように、せん断タイストラップ６３０の第２長手方向端部６９４に交差ストラップ６４２の端部で連結する第２連結ストラップ６６０があってよい。第１連結ストラップ６６０と同様に、第２連結ストラップ６９２は、くぎ打ちストリップ６４４と関連してよい、または、交差ストラップ６４２の端部と中央６３５との間の中間位置で関連してよい。
【００４６】
連結ストラップ６４２は、連結される各交差ストラップ６４２の少なくとも１つと、またはその上のくぎ打ちストリップ６４４と、一体であってよい。代替的に、連結ストラップ６４２は、追加の要素として提供されてよく、せん断タイストラップ６３０の各端部６９２，６９４に固定されてよい。
【００４７】
交差ストラップ６４２と連結ストラップ６６０とは、共通の参照符号で言及および説明され、実施形態は、交差ストラップと、連結ストラップと、同様のまたは同一の寸法を有する他の共通の要素と、を含む。当業者は、１つの交差ストラップ、連結ストラップ、または他の要素の変形がなされてよいことに気付く。
【００４８】
いくつかの実施形態では、１つ以上の予め形成された穴６４８が、中間領域６５４に形成されている。別のシートメタル体を有する実施形態では、穴は、交差ストラップ６４２が所定の配向で重なるときに、一列に整列してよい。
【００４９】
交差ストラップ６４２が所定の配向で重なるときに、または一体型ユニットとして形成されるときに、せん断タイストラップ６３０は、垂木にせん断タイストラップ６３０を固定するのにくぎまたはねじを使用できるように、少なくともいくつかの予め形成された穴６４８が、隣り合う垂木と整列するように、十分な寸法の幅ｘを有する。幅ｘは、２４インチであってよいが、屋根垂木の心々間隔を表す任意の他の寸法であってもよい。しかしながら、特定の屋根構造および関連する規格に応じて、他の寸法を使用できる。好ましくは、シートメタル体６４０は、３３ｋｓｉの降伏応力を有する１６ゲージ〜２０ゲージシートメタルで作られる。１つの好ましい配置では、これらは、１０ｄ並くぎで取り付けられてよく、少なくとも８くぎが、くぎ打ちストリップ６４４のそれぞれでそれぞれの端部で垂木に入る。図９Ａの連結ストラップ６６０は、幅が１．５インチであってよい。図９Ｂの連結ストラップ６６０の１つまたは両方は、幅が１．５インチであってよい。
【００５０】
図８Ａ，８Ｂ，９Ａおよび９Ｂは、最小距離ｌも示し、それは、せん断タイストラップの中心から、中心に対するくぎ打ちストリップの遠位の端部までの、距離である。この距離は、任意の適切な距離で設定されてよい。例えば、最小距離ｌは、くぎ打ちストリップが、垂木の端部からの適切なオフセットを有して垂木に重なるように、設定されてよい。最小距離ｌは、５  ３／４インチであってよい。適切なオフセットは、棟通気口間隙寸法、棟木幅、垂木の材料の種類、地域の建築基準法、または同様のものによって、決定されてよい。当業者は、屋根材の種類、せん断タイストラップの材料、地域の建築基準法、予想される風速、予想される地震活動、建築設計、および同じことによる予想されるせん断力に対応するために、最小距離ｌ、予め穿孔されたくぎ穴の数、交差ストラップの長さ、せん断タイストラップのあらゆる他の寸法、の変更がなされてよいことを、理解するであろう。
【００５１】
図７，８Ａ，８Ｂ，９Ａおよび９Ｂの実施形態は、あらゆる棟通気口用のせん断タイストラップとして含められてよい。特に、せん断タイストラップ４３０，５３０または６３０の１つは、それぞれ、せん断タイストラップ３０，１３０または２３０の代わりに、図１，３および５の実施形態でせん断タイストラップとして設けられてよい。そのような変更に合わせるための、せん断タイストラップ４３０、せん断タイストラップ５３０、せん断タイストラップ６３０の調整、または図１，３，および５の棟通気口の調整は、当業者には明白であろう。実施形態は、せん断タイストラップ４３０、せん断タイストラップ５３０、またはせん断タイストラップ６３０の１つと組み合わせた、図１，３，または５のいずれかの屋根要素を有する屋根システムを、含む。
【００５２】
図１０に関し、屋根７１２の上面図が示されている。屋根７１２は、通気のために棟木の両側に間隙またはスロット７２０を含む。せん断タイストラップ７３０は、棟木７１６の上で屋根７１２の一方の側から他方に架かって示されている。せん断タイストラップ７３０は、せん断タイストラップ５３０または６３０と、それぞれ、２つの連結ストラップ７６０ａおよび７６０ｂを含むという点で、構成が類似している。連結ストラップ７６０ａは、せん断タイストラップ７３０の第１長手方向端部７９２に位置し、屋根の第１の側７８０から屋根の第２の側７９０に架かる。連結ストラップ７６０ｂは、せん断タイストラップ７３０の第２長手方向端部７９４に位置し、屋根の第１の側７８０から屋根の第２の側７９０に架かる。図１０は、屋根の長さに沿ったせん断タイストラップの１つの考えられる構成を示す。当業者は、各せん断タイストラップ間の距離またはせん断タイストラップの数が変更されてよいことを、理解するであろう。地域の条例または規格、予想される風速、または予想される地震活動に、適合するように変更されてよい。変更は、地域の状況、および建物が受け得るせん断応力の量を予測する建物特性を、考慮されてよい。
【００５３】
当業者は、せん断タイストラップの製造が、材料の単一部品をスタンピングまたはパンチングすることによって行われてよいことに、気付くであろう。代替的に、せん断タイストラップの任意の小区分を備える複数の部品が、製造されてよく、せん断タイストラップを作り出すように組み立てられてよい。組み立ては、屋根への取り付けの前にまたは間に起こる。組み立ては、任意の適切な固定要素または留め具でのせん断タイストラップの任意の小区分の別への固定を含んでよい。せん断タイストラップの好ましい実施形態がシートメタルを含むとして記載されたが、実施形態は、当技術分野で知られている別の材料で全体的にまたは部分的に作られているせん断タイストラップを含む。
【００５４】
当業者は、せん断タイストラップを屋根に固定する留め具のためによりアンカーポイントを提供するように、ブロッカーまたはダブラーが、任意の所望の寸法または数で屋根に加えられてよいことに、気付くであろう。ブロッカーまたはダブラーは、くぎ打ちストリップと整列するように位置してよい。当業者は、せん断タイストラップが、せん断タイストラップを通じて、中間材を通じて、そして垂木、ブロッカーまたはダブラーに打ち込まれる留め具で、固定されてよいことにも、気付くであろう。実施形態は、説明または記載されたようなせん断タイストラップを含むが、くぎ打ちストリップの予め穿孔された穴が、より少ないまたはない。当業者は、穴を、せん断タイストラップの取り付けのために任意の所望の位置に作ることができること、または、留め具が、せん断タイストラップ材料を通じて打ち込まれてよいこと、に気付くであろう。
【００５５】
本明細書のせん断タイストラップは、あらゆる屋根に適合できる。屋根は、瓦、杉材、金属、またはあらゆる他の屋根材を含んでよい。屋根は、平らであってよい、または、１２／１２を含む、あらゆるピッチを有してよい。
【００５６】
好ましい実施形態が詳細に説明されたが、本発明は、単に例示であると考えられるこれらの特定の実施形態に限定されない。本発明のさらなる変更および拡張が展開されてよく、全てのそのような変更は、添付の「特許請求の範囲」によって定められる本発明の範囲内と見なされる。
【図１】
0006483798.tif 000002
【図２】
0006483798.tif 000003
【図３】
0006483798.tif 000004
【図４】
0006483798.tif 000005
【図５】
0006483798.tif 000006
【図６】
0006483798.tif 000007
【図７】
0006483798.tif 000008
【図８Ａ】
0006483798.tif 000009
【図８Ｂ】
0006483798.tif 000010
【図９Ａ】
0006483798.tif 000011
【図９Ｂ】
0006483798.tif 000012
【図１０】
0006483798.tif 000013